(57)【特許請求の範囲】
【請求項１】
リース会社から、リース物件である農機を、シェアリース契約をした複数の農家からなるシェアチームを構成した農家の一つに貸し出し、その農家での作業終了後は次の農家に搬送し、順次使い廻して、各農家に対してリース料を請求する農機シェアリース実行システムであって、
前記リース会社のリース実行サーバと、
前記リース実行サーバに対して通信回線を介して接続可能であって、前記農機に装備された移動体端末と、を有してなり、
前記移動体端末は、
前記農機の稼働開始時刻及び稼働終了時刻、及び、少なくとも、これらの時刻における前記農機の位置データを含む位置稼働データを取得し、且つ、これを記憶する位置稼働データ記憶手段と、
前記記憶された位置稼働データを前記リース実行サーバに送信する位置稼働データ送信手段と、
を備え、
前記リース実行サーバは、
前記農機の情報、前記農機の利用者及びその圃場情報、作業計画情報を含む利用条件データの入力を受付けて記憶する利用条件データ受付記憶手段と、
前記位置稼働データ送信手段により送信された前記位置稼働データの入力を受付けて記憶する位置稼働データ受付記憶手段と、
前記記憶された位置稼働データ及び利用条件データから、前記農機の利用料金を算出する利用料金算出手段と、を備えてなり、
前記利用料金算出手段は、
前記農家による希望貸出日数、前記希望貸出日数に対応する不稼働基準日、希望作業面積、前記希望作業面積に対応する基準作業時間により決定される基本料金を算出する基本料金算出手段と、
前記記憶された位置稼働データから、前記基準作業時間を超過した超過時間に対応する超過時間料金及び前記希望貸出日数に対応した追加貸出日料金の合計からなる追加料金を算出する追加料金算出手段と、を有してなり、
前記基本料金算出手段により算出された基本料金と前記追加料金算出手段により算出された追加料金との和となる、前記利用料金を算出するように構成されたことを特徴とする農機シェアリース実行システム。
【請求項２】
請求項１において、
前記リース実行サーバは、
前記農機が存在する圃場を含む地域の気象データを取得して記憶する気象データ取得記憶手段と、
前記気象データ取得記憶手段に記憶された気象データから、１日あたり１０ｍｍ以上の降水量のあった日を天候不順による不稼働日として算出して記憶する天候不順不稼働日算出記憶手段と、
前記記憶された天候不順による不稼働日の日数から、基本料金記憶手段に記憶された不稼働基準日の日数を減じた差の日数を減額対象不稼働日として算出して記憶する減額日数算出記憶手段と、
前記記憶された減額日数に、１日あたりの減額金を掛けた金額を、前記利用料金から減じて記憶する天候不順減額後料金計算記憶手段と、
を有してなることを特徴とする農機シェアリース実行システム。
【請求項３】
請求項１又は２において、
前記移動体端末は、
前記農機による作業内容のデータ、及び、その作業日の１日の作業面積のデータを含む作業内容面積データを取得して記憶する作業内容面積データ取得記憶手段と、
前記記憶された作業内容面積データを前記リース実行サーバに送信する作業内容面積データ送信手段と、を更に備え、
前記リース実行サーバは、
前記作業内容面積データ送信手段から送られた作業内容面積データを受付けて記憶する作業内容面積データ受付記憶手段と、
前記記憶された作業内容面積データに基づく前記作業の単位面積当りの作業時間、及び、前記作業内容と同一種類の作業の、単位面積当りの作業時間の全国平均である作業標準時間のデータを算出して記憶する作業標準時間算出記憶手段と、
前記単位面積当りの作業時間及び前記作業標準時間のデータ、本日の作業面積のデータ、本日の利用料金のデータ、本日の単位面積当りの利用料金のデータを含む可視化データを算出して記憶する可視化データ算出記憶手段と、
前記記憶された可視化データを、前記移動体端末に送信する可視化データ送信手段と、を有し、
前記移動体端末は、
前記リース実行サーバから送信された可視化データを受け入れて記憶する可視化データ受入れ記憶手段と、
前記記憶された可視化データをディスプレイに表示する可視化データ表示手段と、
を有していることを特徴とする農機シェアリース実行システム。
【請求項４】
請求項１乃至３のいずれかにおいて、
前記農機には、作業後の搬出前に最終清掃をするべき最終清掃箇所が複数設定されていて、且つ、これら最終清掃箇所が清掃されているか否かを検出する最終点検手段が設けられ、
前記移動体端末は、
前記最終点検手段による点検結果の最終点検データを取得して記憶する最終点検データ取得記憶手段と、
前記記憶された最終点検データを前記リース実行サーバに送信する最終点検データ送信手段と、
を有し、
前記リース実行サーバは、
前記送信されてきた最終点検データを受付けて記憶する最終点検データ受付記憶手段と、
前記記憶された最終点検データを画面上に農機返却の意思として表示する返却意思表示手段と、
を有することを特徴とする農機シェアリース実行システム。
【請求項５】
請求項４において、
前記移動体端末は光学的読取装置を備え、
前記農機には、前記最終清掃箇所に、最終清掃が終了している状態で、前記光学的読取装置により読取り可能な清掃マークが取り付けられていて、前記光学的読取装置及び清掃マークは、前記最終点検手段を構成することを特徴とする農機シェアリース実行システム。
【請求項６】
請求項４において、
前記移動体端末の前記最終点検手段は、
前記最終清掃箇所を撮影し、その映像データを取得して記憶する清掃箇所映像取得記憶手段と、前記記憶した映像データを前記リース実行サーバに送信する映像データ送信手段と、から構成されたことを特徴とする農機シェアリース実行システム。
【請求項７】
請求項１乃至６のいずれかにおいて、
前記リース実行サーバは、契約作成部を含んで構成され、前記契約作成部は、
複数の農家からのシェアリース申込みを受付けてシェアリース申込みデータを記憶するシェアリース申込みデータ受付記憶手段と、
前記記憶されたシェアリース申込みデータから、シェアチームを組成するためのシェアチーム組成条件を受付けて記憶するシェアチーム組成条件データ受付け記憶手段と、
前記記憶されたシェアチーム組成条件に基づいて、前記シェアリース申込みをした農家から２乃至３０の農家からなるシェアチームを複数組成するシェアチーム組成手段と、
前記シェアリース申込みをした農家の各々について、シェアリース契約書を作成して記憶するシェアリース契約書作成記憶手段と、
前記シェアリース契約書の、各農家への発送を指示するシェアリース契約書発送指示手段と、
前記作成したシェアリース契約データを前記リース実行サーバに送信する成立契約データ送信手段と、
を有してなり、
前記シェアチーム組成手段は、各農家の、前記農機による作業期間が重複しないこと、前記シェアチームの希望作業面積合計が設定値以上となること、及び、農家間の距離が設定値以下になることの条件により、前記シェアチームを組成するように構成されたことを特徴とする農機シェアリース実行システム。
【請求項８】
リース会社から、リース物件である農機を、リース契約をした複数の農家の一つに貸し出し、その農家での作業終了後は次の農家に搬送し、順次使い廻して、各農家に対してリース料を請求する農機シェアリース実行方法であって、
前記リース会社のリース実行サーバからの指示により、運送業者が前記複数の農家の一つに、移動体端末を備えた前記農機を搬入するステップと、
前記農家において、前記農機を使用し、その稼働開始時刻及び稼働終了時刻、及び、少なくとも、これらの時刻における前記農機の位置データを含む位置稼働データを、前記移動体端末により取得し、且つ、その位置稼働データを前記リース実行サーバに送信するステップと、
前記リース実行サーバにおいて、前記農機の情報、前記農機の利用者及びその圃場情報、作業計画情報を含む利用条件データと前記位置稼働データに基づいて、前記農機の利用料金を算出し、
前記移動体端末により、前記農機に設定された複数の最終清掃箇所の、清掃後の状態のデータを前記リース実行サーバに送信するステップと、
前記リース実行サーバにおいて、前記送信されてきた前記清掃後の状態のデータから清掃が完了しているか否かを判定し、否の場合は、再度の清掃を指示する信号を、正の場合は、農機返却の意思確認の信号を、それぞれ前記移動体端末に送信するステップと、
前記農機返却の意思確認の信号が前記移動体端末に受信されたとき、前記リース実行サーバから、運送業者に、前記農機を次の農家に搬送する指示信号を送信するステップと、
前記農機返却の意思確認の信号が前記移動体端末に受信されたとき、農機返却の意思表示をした農家に対して、前記算出された農機の利用料金を請求するステップと、
を各農家との間で順次繰り返すことを特徴とする農機シェアリース実行方法。
【請求項９】
請求項８において、
前記複数の農家からの農機シェアリース申込を前記リース会社の前記リース実行サーバに受付けるステップと、
前記リース実行サーバにおいて、前記複数の農家から２乃至３０の農家をまとめて、１つのシェアチームを組成するステップと、
前記組成されたシェアチーム毎に、１つの前記農機を順次使い廻すシェアリース契約書を前記シェアチームを構成する各農家について作成するステップと、
を有してなり、
前記シェアチームを組成するステップは、各農家の、前記農機による作業期間が重複しないこと、前記シェアチームの希望作業面積合計が設定値以上となること、及び、農家間の距離が設定値以下になることの条件により実行されることを特徴とする農機シェアリース実行方法。
【請求項１０】
請求項９において、
前記シェアチーム組成のステップでは、前記作業期間の重複の有無を検討する際に、農家間における農機の移動期間として、少なくとも３日のバッファ期間を設けることを特徴とする農機シェアリース実行方法。
【請求項１１】
請求項９又は１０において、
前記シェアチームの希望作業面積として、作業が稲刈及び麦刈の場合、１年目稲刈面積と、１年目麦刈面積と、２年目稲刈面積との和の面積を設定するようにされたことを特徴とする農機シェアリース実行方法。
【発明の詳細な説明】
【技術分野】
【０００１】
この発明は、リース契約をした複数の農家に、農機を順次使い廻して、各農家にリース料を請求する農機シェアリースを実行するシステム及び方法に関する。
【背景技術】
【０００２】
同一農機を、圃場が近い複数の農家で共同利用するシステムがある。
【０００３】
しかしながら、上記のように、圃場が近い場合は、例えば稲刈りの時期が集中するので、共同利用のできる農家の範囲が限定されてしまい、農機の稼働率を十分に高くすることができないという問題点があった。
【０００４】
これに対して、リース会社から、リース物件である農機を、リース契約をした比較的遠隔の農家を含む複数の農家の１つに貸し出し、その農家での作業終了後は次の農家に搬送し、順次使い廻して、各農家に対してリース料を請求する農機リース契約が提案されている。
【０００５】
この場合、農機の使用実態を把握して、効率的に順次使い廻す必要があり、また、天候によっては農機を使用できないこともあり、予定の面積の作業を終了する前に、次の農家に引き渡す期日が到来したりすることがないようにする必要がある。
【０００６】
また、農機を農家から次の農家に搬送する前に、農機を清掃して、次の農家で直ちに使用できるようにする必要があるが、業者に依頼するとコスト高となってしまうという問題点がある。
【先行技術文献】
【非特許文献】
【０００７】
【非特許文献１】中村  雅芳、外1名、稲作農機レンタル協議会｜先端農業連携推進機構ホームページ“コンソーシアム形成の経緯”、［online］、平成27年5月20日現在、農林水産ビジネス推進支援センター、［平成27年5月20日検索］、インターネット〈URL：http://sentannogyo-kiko.jp/cooperation/481/〉
【発明の概要】
【発明が解決しようとする課題】
【０００８】
この発明は、上記問題点に鑑みてなされたものであって、農機を、遠隔地間においても効率的な共同利用をできるようにした、農機シェアリースのための農機シェアリース実行システム及び方法を提供することを課題とする。
【課題を解決するための手段】
【０００９】
上記課題は、次の本発明の実施例によって解決される。
【００１０】
（１）リース会社から、リース物件である農機を、シェアリース契約をした複数の農家からなるシェアチームを構成した農家の一つに貸し出し、その農家での作業終了後は次の農家に搬送し、順次使い廻して、各農家に対してリース料を請求する農機シェアリース実行システムであって、前記リース会社のリース実行サーバと、前記リース実行サーバに対して通信回線を介して接続可能であって、前記農機に装備された移動体端末と、を有してなり、前記移動体端末は、前記農機の稼働開始時刻及び稼働終了時刻、及び、少なくとも、これらの時刻における前記農機の位置データを含む位置稼働データを取得し、且つ、これを記憶する位置稼働データ記憶手段と、前記記憶された位置稼働データを前記リース実行サーバに送信する位置稼働データ送信手段と、を備え、前記リース実行サーバは、前記農機の情報、前記農機の利用者及びその圃場情報、作業計画情報を含む利用条件データの入力を受付けて記憶する利用条件データ受付記憶手段と、前記位置稼働データ送信手段により送信された前記位置稼働データの入力を受付けて記憶する位置稼働データ受付記憶手段と、前記記憶された位置稼働データ及び利用条件データから、前記農機の利用料金を算出する利用料金算出手段と、を備えてなり、前記利用料金算出手段は、前記農家による希望貸出日数、前記希望貸出日数に対応する不稼働基準日、希望作業面積、前記希望作業面積に対応する基準作業時間により決定される基本料金を算出する基本料金算出手段と、前記記憶された位置稼働データから、前記基準作業時間を超過した超過時間に対応する超過時間料金及び前記希望貸出日数に対応した追加貸出日料金の合計からなる追加料金を算出する追加料金算出手段と、を有してなり、前記基本料金算出手段により算出された基本料金と前記追加料金算出手段により算出された追加料金との和となる、前記利用料金を算出するように構成されたことを特徴とする農機シェアリース実行システム。
【００１１】
（２）リース会社から、リース物件である農機を、リース契約をした複数の農家の一つに貸し出し、その農家での作業終了後は次の農家に搬送し、順次使い廻して、各農家に対してリース料を請求する農機シェアリース実行方法であって、前記リース会社のリース実行サーバからの指示により、運送業者が前記複数の農家の一つに、移動体端末を備えた前記農機を搬入するステップと、前記農家において、前記農機を使用し、その稼働開始時刻及び稼働終了時刻、及び、少なくとも、これらの時刻における前記農機の位置データを含む位置稼働データを、前記移動体端末により取得し、且つ、その位置稼働データを前記リース実行サーバに送信するステップと、前記リース実行サーバにおいて、前記農機の情報、前記農機の利用者及びその圃場情報、作業計画情報を含む利用条件データと前記位置稼働データに基づいて、前記農機の利用料金を算出し、前記移動体端末により、前記農機に設定された複数の最終清掃箇所の、清掃後の状態のデータを前記リース実行サーバに送信するステップと、前記リース実行サーバにおいて、前記送信されてきた前記清掃後の状態のデータから清掃が完了しているか否かを判定し、否の場合は、再度の清掃を指示する信号を、正の場合は、農機返却の意思確認の信号を、それぞれ前記移動体端末に送信するステップと、前記農機返却の意思確認の信号が前記移動体端末に受信されたとき、前記リース実行サーバから、運送業者に、前記農機を次の農家に搬送する指示信号を送信するステップと、前記農機返却の意思確認の信号が前記移動体端末に受信されたとき、農機返却の意思表示をした農家に対して、前記算出された農機の利用料金を請求するステップと、を各農家との間で順次繰り返すことを特徴とする農機シェアリース実行方法。
【００１２】
ここで、「農機」は、農業のための機械、施設のうち搬送可能なもの、例えばコンバインをいう。また、「農家」とは、農業を営む人をいう。
【発明の効果】
【００１３】
本発明によれば、複数の農家の圃場間の距離が比較的長くても、同一の農機を順次使い廻しすることができ、これによって作業時期の異なる圃場間で農機を使い廻しできるので、農機の共同利用の効率を大幅に向上させることができるという効果を有する。
【図面の簡単な説明】
【００１４】
【図１】本発明の実施例に係る農機シェアリース実行システムを示すブロック図
【図２】実施例において、リース契約の対象となる農機を示す斜視図
【図３】同実行システムにおけるシェアリース契約作成部を示すブロック図
【図４Ａ】シェアリース契約申込み用のフォーム１/２を示す平面図
【図４Ｂ】シェアリース契約申込み用のフォーム２/２を示す平面図
【図５】シェアリース契約をした農家の圃場を示す平面図
【図６】シェアチームの農家の離れた圃場を示す平面図
【図７】同実行システムを構成するリース実行サーバを示すブロック図
【図８】同実行システムにおける移動体端末を示すブロック図
【図９Ａ】農機に予め設定された最終清掃箇所の１〜８番目を示す画像
【図９Ｂ】農機に予め設定された最終清掃箇所の９〜１６番目を示す画像
【図９Ｃ】農機に予め設定された最終清掃箇所の１７〜２０番目を示す画像
【図１０】シェアリース契約実行過程での、リース契約過程を示すフローチャート
【図１１】シェアリース契約実行過程での、リース実行過程を示すフローチャート
【図１２】農機の稼働位置、時間を示す稼働位置・軌跡情報一覧画面
【図１３】農機の稼働時間を示す農機稼働時間情報一覧画面
【図１４】リース実行サーバが取得した気象データを示す気象データ情報一覧画面
【図１５】農機の利用料金を示す利用状況報告書の画面
【図１６】利用料金算出手段で用いられる料金算出アプリケーションの一部を示す図面
【図１７】可視化データを表わす画面
【図１８】最終点検・清掃個所の清掃後の画像を示す画像遠隔管理システム画面
【図１９】農機の返却意思、農機外観を示す返却意思表示画面
【図２０】最終点検・清掃個所の清掃後の画像を撮影する場合の指標の例を模式的に示す平面図
【発明を実施するための形態】
【００１５】
以下、本発明の実施例を図面を参照して説明する。
【００１６】
図１に示されるように、本発明の実施例に係る農機シェアリースシステム１０は、シェアリース契約作成部２０と、このシェアリース契約作成部２０を含むリース実行サーバ４０と、このリース実行サーバ４０とインターネット１４を介して接続可能な移動体端末８０と、から構成されている。
【００１７】
移動体端末８０は、農機（図２参照）Ｍに備えられている。図２における符号Ｍ１は、農機に貼付されたＱＲコード（登録商標）等のマトリックス型２次元コードであり、移動体端末８０のカメラ８０Ｅにより読取り可能とされていて、移動体端末８０はマトリックス型２次元コードＭ１の読取りにより、後述の点検清掃マニュアルをディスプレイ８０Ｄに表示するようにされている。
【００１８】
シェアリース契約作成部２０は、農家１２からインターネット１４を介して、あるいはＦＡＸや郵送を介してシェアリース契約の申込みを受付けるようにされていて、また、シェアリース契約申込みがあった複数の農家から、一定の条件（詳細後述）で複数の農家をまとめて１つのシェアチームを組成するとともに、各農家とのシェアリース契約書を作成するようにされている。
【００１９】
具体的には、図１に示されるように、例えば４戸の農家１２Ａ〜１２Ｄからなるシェアチーム１１２及び、３戸の農家１２Ｅ〜１２Ｇシェアチーム２１２のように、３又は４戸（シェアリース契約作成部２０内では、２乃至３０戸に設定されている；詳細後述）の農家をまとめて１つのシェアチームを組成するようにされている。
【００２０】
次に、シェアリース契約作成部２０の構成を示す図３を参照して、シェアリース契約作成部２０について説明する。
【００２１】
シェアリース契約作成部２０は、インターフェイス手段（ＩＦ手段）２０Ａと、記憶装置２０Ｂと、制御手段３０とから構成されている。
【００２２】
制御手段３０に対しては、ＩＦ手段２０Ａを介して、キーボード２０Ｃ、ディスプレイ２０Ｄ、プリンタ２０Ｅがそれぞれ接続されている。また、契約を申込む農家１２とは、インターネット１４、または、ＦＡＸ、あるいは郵送を介して接続可能とされている。農家１２からＦＡＸ、あるいは郵送で送られたときは、キーボード２０Ｃから契約の申込みのデータをＩＦ手段２０Ａを介して制御手段３０に入力するようにされている。
【００２３】
制御手段３０は、ＩＦ手段２０Ａを介して農家１２からのシェアリース申込みデータを受付けるシェアリース申込みデータ受付機能３１と、シェアチーム組成条件受付手段３２と、シェアチーム組成手段３３と、シェアリース契約書作成手段３４と、シェアリース契約書発送指示機能３５と、成立契約データ送信手段３６とを備えている。
【００２４】
シェアリース申込みのフォーム又は様式は、図４Ａ、図４Ｂに示されるように、申込みをする農家の圃場の住所、信用情報、希望作業面積、農機の種類、希望作業期間等が記載されるようになっている。
【００２５】
シェアチーム組成条件受付手段３２は、例えばキーボード２０Ｃからシェアチーム組成の際の条件を受付けるようにされている。ここで、シェアチーム組成条件とは、（１）各農家１２の、農機による作業期間が重複しないこと、（２）シェアチームの希望作業面積合計が設定値以上となること、及び、（３）農家間の距離が設定値以下になること、の３条件を含むようにされている。
【００２６】
作業期間が重複しないことの条件は当然であるが、（２）シェアチームの希望作業面積合計が設定値以上となること、の条件は、少ない合計面積の場合、農家から受取る利用料金の合計が少なくなり、コスト割れになってしまうからである。また、（３）農家間の距離を設定値以下、例えば２００ｋｍ以下にしないと、搬送時間及び搬送費用が過大になってしまうからである。これらのシェアチームの希望作業面積合計は、農家からの申告面積に基づくものであるが、例えば図５、図６に示されるように、圃場の衛星写真や航空写真に基づいて算出してもよい。
【００２７】
作業期間の設定について、例えば、農機が稲刈用のコンバインの場合は、次のようにすることもできる。
【００２８】
同一の農機について、償却期間内に効率よく使用するために、例えば、同一の地域では、本年の稲刈（９月〜１１月１５日）、翌年の麦刈（６月、８月）、翌年の稲刈（９月〜１１月１５日）のための期間７ヶ月を設定する。この７ヶ月はシェアチームの他の地域では１〜２ヶ月ずれて設定される。
【００２９】
シェアチーム組成手段３３は、シェアチーム組成条件受付手段３２によって受付けられた条件及び各農家からのシェアリース申込み情報に基づいて、複数の農家からなるシェアチームを組成するようにされている。
【００３０】
農機Ｍがコンバインの場合、シェアチームの戸数は２乃至３０戸とする。シェアチームの戸数を最小２戸としたのは、１戸では採算が取れないからであり、最大３０戸としたのは、上記の７ヶ月は３０週となり、採算の点から使用期間を最低でも１週間とすると、最大３０戸となるからである。
【００３１】
シェアリース契約書作成手段３４は、図４Ａ、図４Ｂに示される、農家１２からのシェアリース契約申込書（契約の申込み）の内容で、シェアリース契約が成立したことを示すものである。具体的には、シェアリース契約申込書の一部に申込みを承諾する旨の表示（図４Ｂ下半部参照）をすることにより契約を成立させる。
【００３２】
シェアリース契約書発送指示機能３５は、シェアリース契約書作成手段３４で作成されたシェアリース契約書をシェアリース契約を申込んだ農家１２に発送することを指示するものである。
【００３３】
また、成立契約データ送信手段３６は、シェアリース契約書作成手段３４で作成されたシェアリース契約のデータを、リース実行サーバ４０に送信するようにされている。
【００３４】
記憶装置２０Ｂは、シェアリース申込みデータ記憶手段２１と、シェアチーム組成条件データ記憶手段２２と、シェアチームデータ記憶手段２３と、シェアリース契約書記憶手段２４と、成立契約記憶手段２５と、成立契約データ送信記憶手段２６とを含んで構成されている。
【００３５】
シェアリース申込みデータ記憶手段２１は、シェアリース申込みデータ受付機能３１で受付けられた農家１２からのシェアリース契約申込みのデータを記憶するものである。
【００３６】
シェアチーム組成条件データ記憶手段２２は、シェアチーム組成条件受付手段３２で受付けられたシェアチーム組成のための条件のデータを記憶するものである。
【００３７】
シェアチームデータ記憶手段２３は、シェアチーム組成手段３３によって組成されたシェアチーム及びこれを構成する農家１２、そのシェアリース契約申込書の内容を記憶するものである。
【００３８】
シェアリース契約書記憶手段２４は、シェアリース契約書作成手段３４で作成されたシェアリース契約書の内容を記憶するものであり、成立契約記憶手段２５は、シェアリース契約書発送指示機能３５からの指示によって、農家１２にシェアリース契約書を発送した事実を記憶するものである。
【００３９】
また、成立契約データ送信記憶手段２６は、成立契約データ送信手段３６からリース実行サーバ４０に成立契約データが送られたことを記憶するものである。
【００４０】
ここで、上記制御手段３０におけるシェアリース申込みデータ受付機能３１と、シェアリース契約書発送指示機能３５とは各々ＩＦ手段２０Ａとともに、シェアリース申込みデータ受付手段及びシェアリース契約書発送指示手段を構成するものである。
【００４１】
次に、図７に示されるリース実行サーバ４０について説明する。
【００４２】
リース実行サーバ４０は、制御手段６０と、ＩＦ手段２０Ａと、記憶装置４０Ｂとから構成されていて、移動体端末８０は、インターネット１４及びＩＦ手段２０Ａを介して制御手段６０に接続されている。
【００４３】
移動体端末８０は、その現在位置を確認することができる機能、例えばＧＰＳ機能と、写真を撮影できる撮影機能とを有するタブレット等から構成され、ＩＦ手段８０Ａと、記憶装置８０Ｂと、制御手段９０とを含んで構成され、また、制御手段９０は、ＩＦ手段８０Ａを介して、キーボード８０Ｃ、ディスプレイ８０Ｄ、カメラ８０Ｅからのデータを受付可能とされている。
【００４４】
移動体端末８０は、農機Ｍにセットされたとき、例えばシガーソケットから給電されるようになっていて、また、給電は農機ＭのエンジンがＯＮのときのみなされるようになっている。更に、移動体端末８０は、給電のＯＮ／ＯＦＦから農機ＭのエンジンのＯＮ／ＯＦＦの信号を取得するようにされている。
【００４５】
なお、前記ＧＰＳ機能は、農機Ｍに備えるようにしてもよい。この場合、農機ＭのＧＰＳ装置と移動体端末８０との間は直接又は、Ｗｉ  Ｆｉ（登録商標）、Ｂｌｕｅｔｏｏｔｈ（登録商標）により送受信するように構成する。
【００４６】
リース実行サーバ４０の制御手段６０は、シェアリース契約情報受付機能６１と、利用条件データ受付機能６２と、農機搬入指示情報作成手段６３と、農機到着情報受付機能６４と、位置稼働データ受付機能６５と、基本料金算出手段６６Ａ及び追加料金算出手段６６Ｂからなる利用料金算出手段６６と、対象となる圃場のある地域の気象情報を供給する気象情報源１５からの、少なくとも降水量データを、インターネット１４及びＩＦ手段２０Ａを介して受付ける気象データ取得機能６７と、不稼働日算出手段６８と、減額日数算出手段６９と、減額後料金計算手段７０と、作業内容面積データ受付機能７１と、作業標準時間算出手段７２と、可視化データ算出機能７３と、可視化データ送信機能７４と、最終点検データ受付機能７５と、返却意思表示手段７６とを備えて構成されている。
【００４７】
記憶装置４０Ｂは、シェアリース契約情報記憶手段４１と、利用条件データ記憶手段４２と、農機搬入指示情報データ記憶手段４３と、農機到着情報データ記憶手段４４と、位置稼働データ記憶手段４５と、基本料金記憶手段４６Ａと、追加料金記憶手段４６Ｂと、気象データ記憶手段４７と、不稼働日記憶手段４８と、減額日数記憶手段４９と、減額後料金記憶手段５０と、作業内容面積データ記憶手段５１と、作業標準時間記憶手段５２と、可視化データ記憶手段５３と、最終点検データ記憶手段５４、使用前画像データ記憶手段５５とを含んで構成されている。
【００４８】
シェアリース契約情報受付機能６１は、シェアリース契約作成部２０の成立契約データ送信手段３６からのシェアリース契約内容のデータを受付けるようにされ、シェアリース契約情報記憶手段４１は、受付けられたシェアリース契約の内容を記憶するようにされている。
【００４９】
利用条件データ受付機能６２は、シェアリース対象農機の情報と、農機の利用者とその圃場情報と、作業計画情報とを含む利用条件データの、例えばキーボード２０Ｃからの入力を受付けるようにされ、利用条件データ記憶手段４２は、受付けた利用条件データを記憶するようにされている。
【００５０】
農機搬入指示情報作成手段６３は、成立したシェアリース契約の情報に基づいて、インターネット１４を介して、農機運送会社１６の運送会社端末１６Ａに、シェアチームを構成する最初の農家に農機Ｍを搬入する指示情報を作成して送信するようにされ、この指示情報は、農機搬入指示情報データ記憶手段４３に記憶するようにされている。
【００５１】
また、農機到着情報受付機能６４は、農家１２における移動体端末８０からの、農機Ｍが到着した旨の到着情報を、インターネット１４、ＩＦ手段２０Ａを介して受付けるようにされていて、この到着情報は、農機到着情報データ記憶手段４４に記憶されるようになっている。
【００５２】
位置稼働データ受付機能６５は、移動体端末８０から、インターネット１４を介して送信された、農機Ｍの稼働開始時刻及び稼働終了時刻、及び、少なくともこれらの時刻における農機Ｍの位置データを含む位置稼働データを取得するようにされ、位置稼働データ記憶手段４５は、取得された位置稼働データを記憶するようにされている。
【００５３】
農機Ｍの稼働開始時刻及び稼働終了時刻は、移動体端末８０が取得したエンジンのＯＮ／ＯＦＦの時刻であり、その間の時間が図１３に示される稼働時間であり、具体的なアワーメータで示される（図１５参照）。
【００５４】
利用料金算出手段６６を構成する基本料金算出手段６６Ａは、農家１２による希望貸出日数、希望貸出日数に対応する不稼働基準日、希望作業面積、希望作業面積に対応する基準作業時間により決定される基本料金を算出するようにされ、この基本料金のデータは、基本料金記憶手段４６Ａに記憶するようにされている。
【００５５】
上記希望貸出日数に対応する不稼働基準日は、希望貸出日を含む時期の、希望貸出日数内での平均的な降雨日数からなる。
【００５６】
利用料金算出手段６６を構成する追加料金算出手段６６Ｂは、位置稼働データ記憶手段４５に記憶された位置稼働データから、基準作業時間を超過した超過時間に対応する超過時間料金及び希望貸出日数に対応した追加貸出日数の合計からなる追加料金を算出するようにされ、この算出された追加料金は、追加料金記憶手段４６Ｂに記憶されるようになっている。
【００５７】
気象データ取得機能６７は、農機Ｍが存在する圃場を含む地域の気象データを、例えば気象計測器や気象情報会社等の気象情報源１５からインターネット１４及びＩＦ手段２０Ａを経由して取得するようにされ、この取得された気象データは、気象データ記憶手段４７に記憶されるようになっている。
【００５８】
不稼働日算出手段６８は、記憶された気象データから、１日当たり１０ｍｍ以上の降水量のあった日を天候不順による不稼働日として算出するようにされ、この不稼働日は、不稼働日記憶手段４８に記憶されるようになっている。
【００５９】
減額日数算出手段６９は、記憶された天候不順による不稼働日の日数から、基本料金記憶手段４６Ａに記憶された不稼働基準日の日数を減じた差の日数を減額対象不稼働日として算出するようにされ、この減額対象不稼働日は、減額日数記憶手段４９に記憶されるようになっている。
【００６０】
減額後料金計算手段７０は、記憶された減額日数に、１日当たりの減額金を掛けた金額を、利用料金から減じて算出するようにされ、この算出された金額は、減額後料金記憶手段５０に記憶されるようになっている。
【００６１】
利用料金算出手段６６は、具体的には図１６に示されるようなアプリケーションを含んでいる。
【００６２】
作業内容面積データ受付機能７１は、移動体端末８０からインターネット１４を経由して送信されてくる作業内容面積データをＩＦ手段２０Ａを介して受付けるようにされていて、受付けられた作業内容面積データは、作業内容面積データ記憶手段５１に記憶されるようになっている。
【００６３】
作業標準時間算出手段７２は、記憶された作業内容面積データに基づく当該作業の単位面積当たりの作業時間、及び、当該作業内容と同一種類の作業の、単位面積当たりの作業時間の全国平均である作業標準時間のデータを算出するようにされ、このデータは、作業標準時間記憶手段５２に記憶されるようになっている。ただし、「全国平均」は、リース会社が提供した農機のデータに基づくので、母数が少ないときは、あくまでも参考データとなる。
【００６４】
可視化データ算出手段７３は、記憶された単位面積当たりの作業時間、作業標準時間のデータ、本日の作業面積のデータ、本日の利用料金のデータ、本日の単位面積当たりの利用料金のデータを含む可視化データを算出するようにされ、この可視化データは、可視化データ記憶手段５３に記憶されるようになっている。記憶された可視化データは、可視化データ送信機能７４により、ＩＦ手段２０Ａ及びインターネット１４を介して移動体端末８０に送信されるようになっている。
【００６５】
最終点検データ受付機能７５は、インターネット１４及びＩＦ手段２０Ａを介して送信されてくる、移動体端末８０からの最終点検データを受付けるようにされていて、この最終点検データは、最終点検データ記憶手段５４に記憶されるようになっている。
【００６６】
ここで、農機Ｍには、作業後の、農機搬出前に最終清掃をするべき最終清掃個所が複数設定されていて、且つ、これら最終清掃個所が清掃されているか否かを検出する最終点検手段が設けられている（図９Ａ、９Ｂ、９Ｃ参照）。この最終点検手段は、例えば農機Ｍの１８個所に設定された点検マーク及び移動体端末８０のカメラ８０Ｅであり、具体的には、農機Ｍの使用前の状態の１８個所の画像であり、この画像が、予め、リース実行サーバ４０の使用前画像データ記憶手段５５に記憶されている。図９Ｂの１５番目の画像は操作説明であり、図９Ｃの２０番目の画像は装備品、予備部品を示す。
【００６７】
図９Ａ、図９Ｂ、図９Ｃに示される画像は、（１）グレンタンクを開けた時の内側にあるコンベア部の蓋を取った状態の写真、（２）グレンタンクを開けた状態の写真、（３）オーガ部分の蓋４個所を開けた状態の写真、（４）受継ぎ搬送チェーンの詰まりを取り除いた状態の写真、（５）こぎ胴の下部分の写真、（６）コンバイン左側にあるコンベア部の蓋を開けた状態の写真、（７）コンベア部の１番及び２番底を開いた状態の写真、（８）コンバイン後方の揺動後部の写真、（９）引き起こしチェーンのカバーを開けた状態の写真、（１０）刈刃両端のベアリングの写真、（１１）刈刃両端のベアリングの拡大写真、（１２）冷却水の量が確認出来る状態のサブタンクの写真、（１３）プレクリーナーの清掃後の状態の写真、（１４）エアクリーナーの清掃後の状態の写真、（１５）刈刃と足回りの清掃前におけるＵＦＯの操作を示す写真、（１６）刈刃全体が見える状態の写真、（１７）ＵＦＯを最大限に上げた状態の左クローラの写真、（１８）ＵＦＯを最大限に上げた状態の右クローラの写真、（１９）燃料が満タンであるか否か及びパワーメータを確認出来る状態の写真、（２０）同時搬送部品（装備品や予備部品）の写真である。
【００６８】
図９Ａ、図９Ｂ、図９Ｃに示される画像は、作業後に、移動体端末８０のカメラ８０Ｅにより、図２の２次元コードＭ１を読み取ることによって、ディスプレイ８０Ｄに表示されるようになっている。
【００６９】
返却意思表示手段７６は、移動体端末８０から送信されてきた最終点検データ、すなわち作業終了後に、作業した農家が上記１８個所を使用開始前の状態に復帰させ、及び装備品、予備部品を揃えた後に撮影した画像を受付けるようにされ、この受付けられた最終点検データは使用前画像データ記憶手段５５の使用前画像データと比較され、最終点検データ記憶手段５４に記憶されるようになっている。
【００７０】
返却意思表示手段７６は、上記比較の結果両者の一致度が高い場合に、記憶された最終点検データを画面上に農機返却の意思として表示するものであり、これによって、農機が次の農家に搬送されることが可能となる。一致度が低い場合は、再度の清掃要求の信号が、移動体端末８０に対して送信されるようになっている。
【００７１】
次に、移動体端末８０の制御手段９０と記憶装置８０Ｂの構成について説明する。
【００７２】
制御手段９０は、農機位置時刻データ取得機能９１と、農機位置時刻データ送信機能９２と、作業内容面積データ取得機能９３と、作業内容面積データ送信機能９４と、可視化データ受入れ機能９５と、可視化データ表示機能９６と、清掃個所映像取得機能９７と、最終点検データ取得機能９８と、最終点検データ送信機能９９と、再清掃要求受付機能１００とを備えて構成されている。
【００７３】
また、記憶装置８０Ｂは、農機位置時刻データ記憶手段８１と、作業内容面積データ記憶手段８２と、可視化データ記憶手段８３と、清掃個所映像記憶手段８４と、最終点検データ記憶手段８５と、再清掃要求受付記憶手段８６とを備えて構成されている。
【００７４】
制御手段９０における農機位置時刻データ取得機能９１は、例えばＧＰＳ機能を利用して、農機Ｍの稼働開始時刻及び稼働終了時刻と、これらの時刻における農機Ｍの位置データを含む位置稼働データを取得するようにされ、この取得された位置稼働データは、記憶装置８０Ｂにおける農機位置時刻データ記憶手段８１に記憶されるようになっている。
【００７５】
農機位置時刻データ送信機能９２は、ＩＦ手段８０Ａ及びインターネット１４を介してリース実行サーバ４０に対して、記憶された農機位置時刻データを送信するようにされている。
【００７６】
作業内容面積データ取得機能９３は、農機Ｍによる作業内容のデータ、及び、その作業日の１日の作業面積のデータを含む作業内容面積データを、ＧＰＳ機能を利用して算出して取得できるようにされ、この作業内容面積データ取得機能９３は、作業内容面積データ記憶手段８２に記憶されるようになっている。
【００７７】
作業内容面積データ送信機能９４は、記憶された作業内容面積データを、ＩＦ手段８０Ａ及びインターネット１４を介してリース実行サーバ４０に送信するようにされている。
【００７８】
可視化データ受入れ機能９５は、リース実行サーバ４０から、インターネット１４及びＩＦ手段８０Ａを介して送信されてくる可視化データを受入れるようにされ、受入れられた可視化データは、可視化データ記憶手段８３に記憶されるようになっている。可視化データ表示機能９６は、記憶された可視化データをＩＦ手段８０Ａを介してディスプレイ８０Ｄに表示するようになっている。
【００７９】
最終点検データ取得機能９８は、最終点検手段による点検結果の最終点検データを取得するようにされ、取得された最終点検データは、最終点検データ記憶手段８５に記憶されるようになっている。
【００８０】
最終点検データ送信機能９９は、記憶された最終点検データを、ＩＦ手段８０Ａ及びインターネット１４を介してリース実行サーバ４０に送信するようにされている。
【００８１】
再清掃要求受付機能１００は、リース実行サーバ４０の返却意思表示手段７６により返却意思が表示されなかったとき、再度の清掃要求としてこれを受付けるようにされている。
【００８２】
次に、上記実施例に係る農機シェアリースシステム１０により、農機シェアリースを実行する過程について説明する。
【００８３】
まず、図１０に示されるように、農機シェアリースシステム１０におけるシェアリース契約作成部２０において、シェアリース契約の申込みを受付け、シェアチームを組成し、成立した契約情報をリース実行サーバ４０に送信するまでの過程について説明する。
【００８４】
ステップ１０１において、複数の農家１２からインターネット１４を介して、あるいはＦＡＸ・郵送手段により、図４Ａ、図４Ｂに示されるようなフォームで、シェアリース契約の申込みを受付ける。
【００８５】
この申込み情報は、図３に示される、キーボード２０ＣからＩＦ手段２０Ａを介して、制御手段３０のシェアリース申込みデータ受付機能３１によって受付けられる。
【００８６】
次のステップ１０２では、シェアリース契約作成部２０のシェアチーム組成条件受付手段３２において、シェアチーム組成条件のデータを受付け、ステップ１０３において、シェアチーム組成手段３３により、シェアチームを組成する。この時点で、シェアリース契約の申込みに対する承諾となり、シェアリース契約は成立する。
【００８７】
次のステップ１０４において、シェアリース契約書作成手段３４により作成されたシェアリース契約書の農家への発送指示が、シェアリース契約書発送指示機能３５によって出され、シェアリース契約書がリース会社から農家に発送される。
【００８８】
ステップ１０５においては、成立契約データ送信手段３６により、成立したシェアリース契約情報がリース実行サーバ４０のシェアリース契約情報受付機能６１に送信される。
【００８９】
次に、図１１を参照して、リース実行サーバ４０におけるリース実行過程において説明する。
【００９０】
ステップ２０１では、リース実行サーバ４０のシェアリース契約情報受付機能６１によって、シェアリース契約作成部２０からのシェアリース契約情報が受付けられる。
【００９１】
ステップ２０２では、利用条件データ受付機能６２において利用条件データが受付けられる。
【００９２】
次のステップ２０３では、農機搬入指示情報作成手段６３の指示により作成された農機搬入指示情報が、リース実行サーバ４０からＩＦ手段２０Ａ、インターネット１４を介して、農機運送会社１６の運送会社端末１６Ａに送信される。
【００９３】
運送会社１６では、指示に従って、搬入指示日にシェアチームの第１の農家１２Ａへ農機Ｍを搬入して、この搬入情報が、農家１２Ａの移動体端末８０からリース実行サーバ４０に送信され、農機到着情報受付機能６４によって受付けられる。
【００９４】
ステップ２０５では、稲刈りなどの作業をした農家の移動体端末８０から、図１２に示されるように農機の位置及び農機を利用した開始時間と終了時間のデータが、リース実行サーバ４０に送られ、このデータは、ステップ２０６で、位置稼働データとして位置稼働データ受付機能６５により受付けられる。受付けられたデータは、図１３に示されるように機械稼働時間情報一覧画面として位置稼働データ記憶手段４５に記憶される。
【００９５】
ステップ２０７においては、リース実行サーバ４０の気象データ取得機能６７によって、インターネット１４及びＩＦ手段２０Ａを介して、図１４に示されるように、気象情報源１５からの気象情報が取得される。
【００９６】
次のステップ２０８では、基本料金算出手段６６Ａ及び追加料金算出手段６６Ｂによって、利用条件データに基づき利用料金が算出される。利用料金は、図１５に示されるように、位置稼働データ、気象データに基づいて算出され、利用状況報告書として表わされ、且つ、記憶される。計算は図１６に示されるようなアプリケーションにより実行される。
【００９７】
ステップ２０９に進み、作業内容面積データ受付機能７１において、移動体端末８０の作業内容面積データ送信機能９４から送付された作業内容面積データを受付ける。
【００９８】
ステップ２１０において、リース実行サーバ４０の、可視化データ算出手段７３により、作業時間、作業標準時間、利用料金のデータを含む可視化データが図１７に示されるように算出され、且つ移動体端末８０のディスプレイ８０Ｄに表示される。
【００９９】
ステップ２１１において、移動体端末８０の、カメラ８０Ｅにより、農機Ｍに貼付された２次元コードＭ１を読取り、ディスプレイ８０Ｄに点検清掃マニュアルである図９の画像を表示する。
【０１００】
次のステップ２１２において、点検清掃マニュアルに従って農家１２が農機Ｍの点検・清掃個所を清掃した後の画像をカメラ８０Ｅにより取得して、これを最終点検データ送信機能９９により、リース実行サーバ４０の最終点検データ受付機能７５に転送する（図１８参照）。
【０１０１】
ステップ２１３においては、リース実行サーバ４０にて、移動体端末８０から送信された最終点検データが、リース実行サーバ４０の使用前画像データ記憶手段５５に登録されている使用前画像データと比較して、一致度が一定以上か否かを判定する。
【０１０２】
判定の結果、ＮＯであれば、ステップ２１２に戻り、再度農機の点検・清掃がなされ、清掃後の画像がリース実行サーバ４０へ転送され、ＹＥＳであれば、農機の返却意思が確認され、図１９に示されるように、清掃後の外観状態がリース実行サーバ４０のディスプレイ２０Ｄに表示される。
【０１０３】
返却意思表示手段７６において、返却意思が確認された後は、ステップ２１５において、リース実行サーバ４０から農機運送会社１６の運送会社端末１６Ａに農機転送指示情報が送信される。ここからは、ステップ２０４の農機到着情報受付に戻る。
【０１０４】
次のステップ２１６においては、リース実行サーバ４０にて農機返却意思を表示した農家に対して利用料金の請求書を作成して発行する。
【０１０５】
なお上記実施例では、最終点検手段が点検マーク及びカメラ８０Ｅから構成されているが、本発明はこれに限定されるものでなく、以下のように構成してもよい。
【０１０６】
（１）最終点検個所に、掃除が正しく行われたときのみ露出する、たとえば２次元コードを設けて、これをカメラ８０Ｅで撮影する。（２）カメラ８０Ｅにより取得されリース実行サーバ４０に送信された画像から判定する。
【０１０７】
カメラ８０Ｅで撮影する場合、撮影者によって同じ点検・清掃個所の画像が、リース実行サーバ４０側の使用前画像と、大きさ、角度が大きく相違する場合は、判定が困難である。このような場合は、例えば図２０に示されるように、使用前画像の輪郭ＯＬのみを、撮影時に移動体端末８０のディスプレイ８０Ｄに指標として表示し、この輪郭ＯＬに撮影対象物を合わせるようにするとよい。
【産業上の利用可能性】
【０１０８】
遠隔の圃場間で、コンバイン等の農機を効率的に共同利用できる農機リースに利用可能性がある。
【符号の説明】
【０１０９】
Ｍ…農機
Ｍ１…マトリックス型２次元コード
ＯＬ…輪郭
１０…農機シェアリースシステム
１２、１２Ａ〜１２Ｇ…農家
１４…インターネット
１５…気象情報源
１６…農機運送会社
２０…シェアリース契約作成部
２０Ａ、８０Ａ…インターフェイス手段（ＩＦ手段）
２０Ｂ、４０Ｂ、８０Ｂ…記憶装置
３０、６０、９０…制御手段
４０…リース実行サーバ
８０…移動体端末
８０Ｅ…カメラ
１１２、２１２…シェアチーム
【図１】
0006375263.tif 000002
【図２】
0006375263.tif 000003
【図３】
0006375263.tif 000004
【図４Ａ】
0006375263.tif 000005
【図４Ｂ】
0006375263.tif 000006
【図５】
0006375263.tif 000007
【図６】
0006375263.tif 000008
【図７】
0006375263.tif 000009
【図８】
0006375263.tif 000010
【図９Ａ】
0006375263.tif 000011
【図９Ｂ】
0006375263.tif 000012
【図９Ｃ】
0006375263.tif 000013
【図１０】
0006375263.tif 000014
【図１１】
0006375263.tif 000015
【図１２】
0006375263.tif 000016
【図１３】
0006375263.tif 000017
【図１４】
0006375263.tif 000018
【図１５】
0006375263.tif 000019
【図１６】
0006375263.tif 000020
【図１７】
0006375263.tif 000021
【図１８】
0006375263.tif 000022
【図１９】
0006375263.tif 000023
【図２０】
0006375263.tif 000024